【手続補正書】
【提出日】平成24年6月7日(2012.6.7)
【手続補正１】
【補正対象書類名】特許請求の範囲
【補正対象項目名】全文
【補正方法】変更
【補正の内容】
【特許請求の範囲】
【請求項１】
閉鎖底端部、側壁、及び開放端を有する円筒金属容器と、
正電極、基本的にリチウム又はリチウム合金から成る負電極、該正電極と該負電極の間に配置されたセパレータ、及び非水揮発性電解質を含み、前記容器内に配置された螺旋状に巻かれた電極アセンブリと、
上部壁と遷移部材によって接続した下部壁とを有し、該上部壁が、セルの半径方向中心の方向に上方に傾斜し、かつ該下部壁からこれらのそれぞれの長さに沿って離間した前記側壁における周方向内向き突出物と、
所定の内圧で通気することができる通気部材、電流制限又は遮断部材、及び前記容器と前記正電極又は負電極に作動的に電気的に接続された端部アセンブリの導電性接点との間に位置する絶縁ポリマー密封部材を含み、該容器の前記開放端を閉鎖する端部アセンブリと、
を含み、
前記ビーズの上部壁は、上部壁最上点から半径方向外向きに位置する最下点を有し、上部壁最下点を通って延びる想像水平線と、上部壁最下点と上部壁最上点の間の想像線との間の角度が、１から３０°であり、かつ
以下の（ａ）及び（ｂ）、すなわち、
ａ）（ｉ）接触アセンブリが、圧力解放通気部材に接続された周囲フランジを有する導電性接触部材を更に含み、該圧力解放通気部材は、少なくとも所定の解放圧力と同じ高さである内部セル圧力に応答して破裂することができ、それによって物質が該通気部材を通って逃げることを可能にし、（ｉｉ）該周囲フランジが、隣接する前記側壁のセグメントと実質的に平行に軸線方向距離を延びる軸線方向セグメントを含み、半径方向セグメントが、実質的に半径方向に前記軸線方向セグメントから延び、かつ該周囲フランジが該半径方向セグメントから前記ビーズの前記上部壁最上点の下に軸線方向に少なくとも０．２５ｍｍだけ実質的に軸線方向に第２の下部軸線方向セグメントまで遷移するように該ビーズの上方に軸線方向に位置する一部分を含み、かつ（ｉｉｉ）前記密封部材が、少なくとも（ａ）該側壁と周囲フランジ軸線方向セグメント、（ｂ）該ビーズと該半径方向セグメント、及び（ｃ）該ビーズと該第２の下部軸線方向セグメントの間で圧縮下にあること、及び
ｂ）（ｉ）前記端部アセンブリが、前記導電性接点と作動的に電気接触して第１及び第２の軸線方向セグメントを有する導電性内側カバーを更に含み、該第２の軸線方向セグメントが、該第１の軸線方向セグメントから半径方向内向きに位置し、かつ該第１の軸線方向セグメントと比較して２０％未満の長さの差を有し、半径方向セグメントが、該第１及び第２の軸線方向セグメントを接続し、かつ（ｉｉ）前記密封部材が、前記半径方向セグメントと前記ビーズの前記上部壁との間及び前記内側カバー軸線方向セグメントと前記容器の上部側壁との間で圧縮されること、
のうちの一方が適用される、
ことを特徴とする電気化学セル。
【請求項２】
前記角度は、３°から２０°であることを特徴とする請求項１に記載の電気化学セル。
【請求項３】
前記ビーズは、前記容器の最大半径の少なくとも２２％である深さを有することを特徴とする請求項１に記載の電気化学セル。
【請求項４】
前記ビーズ深さは、前記容器の半径の約３０％であることを特徴とする請求項３に記載の電気化学セル。
【請求項５】
導電性接触部材が、前記内側カバーに接続され、かつ前記正電極の電流コレクタと作動的に電気的に接続され、
セルが、正電極電流コレクタの一部分と前記容器の前記側壁との間の接触を防止する絶縁部材を更に含み、
前記絶縁部材の一部分が、前記ビーズと前記接触部材に接触し、かつこれらの間に配置される、
ことを特徴とする請求項３に記載の電気化学セル。
【請求項６】
前記内側カバーは、ボール通気アセンブリの一部分を形成するセグメントを含むことを特徴とする請求項１に記載の電気化学セル。
【請求項７】
前記正電極は、二硫化鉄を含み、
セルが、Ｒ６サイズセルであり、前記密封部材は、１．１４ｃｍ未満の寸法比を有する、
ことを特徴とする請求項１に記載の電気化学セル。
【請求項８】
前記寸法比は、０．８６ｃｍ未満であることを特徴とする請求項７に記載の電気化学セル。
【請求項９】
前記寸法比は、０．５１ｃｍ未満であることを特徴とする請求項７に記載の電気化学セル。
【請求項１０】
前記密封部材の一部分が、前記接触部材、前記絶縁部材、及び前記ビーズによって境界付けられるように、該ビーズの下の前記容器の前記側壁と接触し、かつ該接触部材に接触した絶縁部材を更に含むことを特徴とする請求項１に記載の電気化学セル。
【請求項１１】
前記接触部材は、前記軸線方向セグメントから延びる内向きに折り畳まれた端部を有し、
開口部を形成する保持器が、セルに存在し、
前記保持器の一部分及び前記通気部材の一部分が、前記接触部材の内向きに折り畳まれた端部と前記半径方向セグメントとの間で圧縮される、
ことを特徴とする請求項１に記載の電気化学セル。
【請求項１２】
前記圧力解放通気部材は、ホイル型通気部材であり、かつ金属及びポリマーのうちの１つ又はそれよりも多くを含む組成物の少なくとも第１の層を含むことを特徴とする請求項１に記載の電気化学セル。
【請求項１３】
前記圧力解放通気部材は、ポリエチレン、ポリプロピレン、ポリブチレン、テレフタレート、ポリエチレンテレフタレート、エチレンアクリル酸、エチレンメタクリル酸、ポリエチレンメタクリル酸、及びこれらの混合物から成る群から選択された組成物を含む第２の層を含み、
前記圧力解放通気部材は、前記第１の層が前記第２の層と第３の層の間に配置される第３の層を含み、該第３の層は、ポリエチレン、ポリプロピレン、ポリブチレン、テレフタレート、ポリエチレンテレフタレート、エチレンアクリル酸、エチレンメタクリル酸、ポリエチレンメタクリル酸、及びこれらの混合物から成る群から選択された組成物を含む、
ことを特徴とする請求項１２に記載の電気化学セル。
【請求項１４】
前記第１の層は、アルミニウムを含むことを特徴とする請求項１３に記載の電気化学セル。
【請求項１５】
前記正電極は、ＦｅＳ2を含むことを特徴とする請求項１に記載の電気化学セル。
【請求項１６】
前記密封部材は、前記容器の圧着端部の下にある実質的に半径方向に延びる上部半径方向セグメントを有し、
前記密封部材上部半径方向セグメントは、実質的に軸線方向に延びて前記容器側壁に接触した密封部材上部軸線方向セグメントに接続され、
前記密封部材上部軸線方向セグメントは、前記圧着端部と前記内向き突出物の前記上部壁との間に延び、
前記密封部材は、前記上部軸線方向セグメントに接続されてそこから実質的に半径方向内向きに延びる下部半径方向セグメントを含み、
前記密封部材の下部軸線方向セグメントが、前記下部半径方向セグメントに接続されてそこから実質的に軸線方向下向きに延び、
前記密封部材上部半径方向セグメント及び下部半径方向セグメントは、前記容器の前記内向き突出物上部壁と圧着端部との間で圧縮され、
前記密封部材下部軸線方向セグメントは、前記遷移部材と内側カバー又は接触部材との間で圧縮される、
ことを特徴とする請求項１に記載の電気化学セル。
【請求項１７】
前記密封部材は、前記容器の圧着端部の下にある実質的に半径方向に延びる上部半径方向セグメントを有し、
前記密封部材上部半径方向セグメントは、実質的に軸線方向に延びて前記容器側壁及び前記周囲フランジ軸線方向セグメントに接触した密封部材上部軸線方向セグメントに接続され、
前記密封部材上部軸線方向セグメントは、前記圧着端部と前記内向き突出物の前記上部壁との間に延び、
前記密封部材は、前記密封部材上部軸線方向セグメントに接続されてそこから実質的に内向きに延びる下部半径方向セグメントを含み、
前記密封部材下部半径方向セグメントは、前記周囲フランジ半径方向セグメントに接触し、かつそれに沿う距離を延び、
前記密封部材の下部軸線方向セグメントが、前記密封部材下部半径方向セグメントに接続され、かつそこから軸線方向下向きに延び、
前記上部半径方向セグメント及び下部半径方向セグメントは、前記容器の前記内向き突出物上部壁と圧着端部との間で圧縮され、
前記密封部材下部軸線方向セグメントは、前記内向き突出物の前記遷移部材と前記接触部材の前記下部軸線方向セグメントとの間で圧縮される、
ことを特徴とする請求項１に記載の電気化学セル。
【請求項１８】
前記密封部材は、前記容器の圧着端部の下にある実質的に半径方向に延びる上部半径方向セグメントを有し、
前記密封部材上部半径方向セグメントは、実質的に軸線方向に延びて前記容器側壁に接触した前記密封部材の上部軸線方向セグメントに接続され、
前記上部軸線方向セグメントは、前記圧着端部と前記内向き突出物の前記上部壁との間に延び、かつ前記内側カバー軸線方向セグメントと接触し、
前記密封部材は、前記密封部材上部軸線方向セグメントに接続されてそこから実質的に半径方向内向きに延びる下部半径方向セグメントを含み、
前記密封部材下部半径方向セグメントは、前記内側カバーの前記半径方向セグメントと接触し、かつ該内側カバーと前記内向き突出物の前記上部壁との間で圧縮され、
前記密封部材上部半径方向セグメントは、前記容器の前記内向き突出物上部壁と圧着端部との間で圧縮され、
前記密封部材は、前記内側カバーの前記軸線方向セグメントとセルの接触部材との間で実質的に半径方向上向きに延びる前記密封部材下部半径方向セグメントに接続された内側軸線方向セグメントを更に含む、
ことを特徴とする請求項１に記載の電気化学セル。